(57)【要約】【課題】  古くなったパチンコ遊技機を廃棄する場合等に、電子部品を容易に取り外すことができる様にする。【解決手段】  このパチンコ球センサ１１の取付構造は、パチンコ球センサ１１の外形に対応する様にパチンコ球通路１２に穿設された取付穴１３と、パチンコ球通路１２のパチンコ球センサ１１を挿入する側の外壁面に立設され、取付穴１３の内壁面と同一平面上に位置する載置面１４ａを有する支持板１４と、によって構成され、取付穴１３に挿入されているパチンコ球センサ１１が取付穴１３から脱落しない様に、支持板１４の遊端側の載置面１４ａには、パチンコ球センサ１１の取付穴１３から露出している部分の端部を掛止するための掛止突起１５が形成されている。掛止突起１５は、断面が中心角１８０度の扇形（半月形）の突条である。【選択図】図１
2010029707.tif 000002
【特許請求の範囲】
【請求項１】
遊技機の固定対象物に電子部品を挿入固定するために、当該電子部品の外形に対応する様に当該固定対象物に穿設された取付穴と、
前記電子部品の前記取付穴から露出している部分を支持するために、前記固定対象物の前記電子部品を挿入する側の壁面に立設され、前記取付穴の内壁面に沿った載置面を有する支持板と、
によって構成され、
前記取付穴に挿入されている前記電子部品が当該取付穴から脱落しない様に、前記支持板の遊端側の載置面に、当該電子部品の当該取付穴から露出している部分の端部を掛止するための掛止突起が形成されてなる電子部品の取付構造において、
前記掛止突起は、当該掛止突起の前記取付穴側の端部から当該掛止突起の最厚部まで徐々に肉厚となる様に構成されていることを特徴とする電子部品の取付構造。
【請求項２】
前記掛止突起の前記取付穴側の端部から最厚部までの断面が略扇形状に形成されていることを特徴とする請求項１に記載の電子部品の取付構造。
【請求項３】
前記掛止突起が略半球状に形成されていることを特徴とする請求項１に記載の電子部品の取付構造。
【請求項４】
前記支持板の載置面を上にして遊端側から見たときに、
前記掛止突起は、当該支持板の中心に対して左右何れかに偏心した位置に形成されており、
前記取付穴の内壁面の内、前記支持板の載置面に沿う第１内壁面に対向する第２内壁面は、前記掛止突起が形成されている側から前記掛止突起が形成されていない側に向かって下り傾斜しており、当該取付穴に矩形の電子部品を挿入固定すると、前記掛止突起が形成されている側において当該電子部品と当該第２内壁面との間に隙間が形成され、前記支持板の載置面に載置されている当該電子部品の前記掛止突起が形成されている側を持ち上げることができる様に構成されていることを特徴とする請求項１乃至３の何れかに記載の電子部品の取付構造。
【請求項５】
前記支持板の載置面を上にして遊端側から見たときに、
前記取付穴の内壁面の内、前記掛止突起が形成されている側の側面である第３内壁面に、前記取付穴に挿入固定されている前記矩形の電子部品が前記第２内壁面側へ浮き上がらない様に前記第１内壁面及び前記支持板の載置面側へ押さえ付けるための補助突起が形成されていることを特徴とする請求項４に記載の電子部品の取付構造。
【請求項６】
遊技機の固定対象物に電子部品を挿入固定するために、当該電子部品の外形に対応する様に当該固定対象物に穿設された取付穴と、
前記電子部品の前記取付穴から露出している部分を支持するために、前記固定対象物の前記電子部品を挿入する側の壁面に立設され、前記取付穴の内壁面に沿った載置面を有する支持板と、
によって構成され、
前記取付穴に挿入されている前記電子部品が当該取付穴から脱落しない様に、前記支持板の遊端側の載置面に、当該電子部品の当該取付穴から露出している部分の端部を掛止するための掛止突起が形成されてなる電子部品の取付構造において、
前記支持板の前記掛止突起より前記取付穴側に掛止解除部材を備え、
該掛止解除部材を起こして前記電子部品を前記支持板の載置面から持ち上げることにより、前記掛止突起による前記電子部品の掛止を解除することができる様に構成されていることを特徴とする電子部品の取付構造。
【請求項７】
遊技機の固定対象物に取り付けるための取付用突片を備えた取付筐体内に電子部品を収納し、当該取付筐体を介して当該電子部品を当該遊技機に取り付ける電子部品の取付構造であって、
前記遊技機の固定対象物には、
前記取付用突片を側端側から挿入することができる様に形成された挿入部と、
前記取付用突片の外形に対応する様に形成され、前記挿入部から挿入された取付用突片を挟持する挟持部と、
によって構成される突片固定部材が形成されており、
前記取付用突片は、前記突片固定部材に挿入される反対側の側端から最厚部まで徐々に肉厚となる様に形成されていることを特徴とする電子部品の取付構造。
【請求項８】
前記取付用突片は、前記最厚部から前記突片固定部材へ挿入される側の側端まで徐々に肉薄となる様に形成されていることを特徴とする請求項７に記載の電子部品の取付構造。
【発明の詳細な説明】
【技術分野】
【０００１】
本発明は、遊技機にセンサ・アクチュエータ等の電子部品を取り付ける構造に関する。
【背景技術】
【０００２】
従来、例えば、パチンコ球を計数するためのパチンコ球センサ８１は、図５に示す様に、パチンコ球通路８２に設けられた取付穴８３に挿入され、取付穴８３から露出している部分を支持板８４の遊端側に形成されている鉤状の掛止突起８５に掛止されることによってパチンコ遊技機に取り付けられている。
【０００３】
又、賞品球払出装置等を構成するステッピングモータ９１は、図６（ａ）に示す様に、取付用突片９３が設けられた取付筐体９２を備え、図６（ｂ）に示す様に、木螺子９５を取付用突片９３の螺子孔９４に通し、パチンコ遊技機に設けられている突片固定部材９６に螺子止めすることによって、パチンコ遊技機の所定位置に取り付けられている。
【発明の概要】
【発明が解決しようとする課題】
【０００４】
ところで、近年、古くなったパチンコ遊技機を廃棄する場合、パチンコ球センサやステッピングモータ等の電子部品の内、損傷がない（あるいは軽微である）ものは、パチンコ遊技機の廃棄前に取り外され、新しいパチンコ遊技機の部品として利用されている。
【０００５】
しかし、図５に示す様に取り付けられたパチンコ球センサ８１を取り外す際には、支持板８４を湾曲させて掛止突起８５による掛止を解除しながらパチンコ球センサ８１を取付穴８３から引き抜かなければならないので、作業が面倒である。又、図６に示す様に取り付けられたステッピングモータ９１を取り外す際にも、狭い隙間にドライバを挿入して木螺子９５を１つずつ回して取り外さなければならないので、作業が面倒である。
【０００６】
このため、取り外し作業に要する時間や手間と電子部品を再利用することによるコストの削減とを比較衡量し、利益が得られない場合には取り外し作業の一部を省略し、又は取り外し作業を一切行わずに、即ち本来再利用することができる電子部品をパチンコ遊技機に残したままの状態で廃棄することが多い。この様に、従来のパチンコ遊技機の電子部品は十分に再利用されていなかった。
【０００７】
そこで、本発明は、古くなったパチンコ遊技機を廃棄する場合等に、電子部品を容易に取り外すことができる様にすることを目的とする。
【課題を解決するための手段】
【０００８】
この様な目的を達成するため、第１の発明にかかる電子部品の取付構造は、請求項１に記載されている様に、遊技機の固定対象物に電子部品を挿入固定するために、当該電子部品の外形に対応する様に当該固定対象物に穿設された取付穴と、前記電子部品の前記取付穴から露出している部分を支持するために、前記固定対象物の前記電子部品を挿入する側の壁面に立設され、前記取付穴の内壁面に沿った載置面を有する支持板と、によって構成され、前記取付穴に挿入されている前記電子部品が当該取付穴から脱落しない様に、前記支持板の遊端側の載置面に、当該電子部品の当該取付穴から露出している部分の端部を掛止するための掛止突起が形成されてなる電子部品の取付構造において、前記掛止突起は、当該掛止突起の前記取付穴側の端部から当該掛止突起の最厚部まで徐々に肉厚となる様に構成されていることを特徴とする。
【０００９】
本発明にかかる電子部品の取付構造によれば、電子部品の取付穴から露出している部分の端部を掛止するための掛止突起は、従来の様な鈎状（支持板の載置面と掛止突起の取付穴側の表面とが垂直）ではなく、取付穴側の端部から最厚部まで徐々に肉厚となっているので、作業者が電子部品を取付穴から引き抜く方向にある程度の大きさの力を作用させると、電子部品が掛止突起に徐々に乗り上げて行き、これによって支持板が徐々に湾曲させられる。このため、作業者は、電子部品を取付穴から引き抜く方向に力を作用させるだけで電子部品を取り外すことができる。従って、古くなったパチンコ遊技機を廃棄する場合等に、電子部品を容易に取り外すことができ、新しいパチンコ遊技機の部品として利用することができる。
【００１０】
ここで、掛止突起は、前述した様に電子部品が徐々に乗り上げて行くことができる形状であれば、具体的にどの様な形状とするかは任意であるが、特に、請求項２に記載されている様に、前記掛止突起の前記取付穴側の端部から最厚部までの断面が略扇形状に形成されていると良い。
【００１１】
この様に構成されている場合には、作業者が電子部品を取付穴から引き抜く方向に力を作用させれば、電子部品が掛止突起に徐々に乗り上げて行くので、電子部品を容易に取り外すことができるが、支持板の載置面と掛止突起の取付穴側の表面とがある程度の大きさの角をなすので、作業者が電子部品を取付穴から引き抜く方向に力を作用させるまでは、電子部品が意に反して掛止突起に乗り上げてしまうことはない。従って、電子部品を安定的に取り付けておくことができる。
【００１２】
又、請求項３に記載されている様に、前記掛止突起が略半球状に形成されていても良い。この様に構成されている場合にも、同様に、作業者が電子部品を取付穴から引き抜く方向に力を作用させるまでは、電子部品を安定的に取り付けておくことができる。
【００１３】
又、請求項４に記載されている様に、前記支持板の載置面を上にして遊端側から見たときに、前記掛止突起は、当該支持板の中心に対して左右何れかに偏心した位置に形成されており、前記取付穴の内壁面の内、前記支持板の載置面に沿う第１内壁面に対向する第２内壁面は、前記掛止突起が形成されている側から前記掛止突起が形成されていない側に向かって下り傾斜しており、当該取付穴に矩形の電子部品を挿入固定すると、前記掛止突起が形成されている側において当該電子部品と当該第２内壁面との間に隙間が形成され、前記支持板の載置面に載置されている当該電子部品の前記掛止突起が形成されている側を持ち上げることができる様に構成されていると良い。換言すれば、支持板に掛止突起が形成されている側で第１内壁面と第２内壁面との距離が最も長く、支持板に掛止突起が形成されていない側で第１内壁面と第２内壁面との距離が最も短くなる様に構成されていると良い。
【００１４】
本発明にかかる電子部品の取付構造がこの様に構成されている場合には、仮に、掛止突起が支持板の中心に対して右に偏心した位置に形成されており、取付穴に矩形の電子部品を挿入固定すると右側において電子部品と第２内壁面との間に隙間が形成されていることとすると、作業者は、電子部品を取り外す際、電子部品の右側を持ち上げることにより、支持板の右側に形成されている掛止突起に容易に乗り上げさせることができる。従って、電子部品を容易に取り外すことができる。又、電子部品を持ち上げて掛止突起に乗り上げさせることができるので、仮に、支持板の載置面と掛止突起の取付穴側の表面とのなす角が直角に近くても、従来の様に取り外し難くなることはない。
【００１５】
又、支持板の載置面に載置されている電子部品の掛止突起が形成されている側を持ち上げることができる様に構成されている場合には、更に、請求項５に記載されている様に、前記支持板の載置面を上にして遊端側から見たときに、前記取付穴の内壁面の内、前記掛止突起が形成されている側の側面である第３内壁面に、前記取付穴に挿入固定されている前記矩形の電子部品が前記第２内壁面側へ浮き上がらない様に前記第１内壁面及び前記支持板の載置面側へ押さえ付けるための補助突起が形成されていると良い。
【００１６】
この様に構成されている場合には、作業者は、電子部品を取り外す際、まず、補助突起に乗り上げさせる様にして電子部品を持ち上げ、次に、掛止突起に乗り上げさせて、電子部品を取り外す。補助突起によって電子部品が押さえ付けられているので、作業者が電子部品を持ち上げる方向に力を作用させるまでは、電子部品が意に反して浮き上がってしまうことはない。従って、電子部品を安定的に取り付けておくことができる。
【００１７】
第２の発明にかかる電子部品の取付構造は、請求項６に記載されている様に、遊技機の固定対象物に電子部品を挿入固定するために、当該電子部品の外形に対応する様に当該固定対象物に穿設された取付穴と、前記電子部品の前記取付穴から露出している部分を支持するために、前記固定対象物の前記電子部品を挿入する側の壁面に立設され、前記取付穴の内壁面に沿った載置面を有する支持板と、によって構成され、前記取付穴に挿入されている前記電子部品が当該取付穴から脱落しない様に、前記支持板の遊端側の載置面に、当該電子部品の当該取付穴から露出している部分の端部を掛止するための掛止突起が形成されてなる電子部品の取付構造において、前記支持板の前記掛止突起より前記取付穴側に掛止解除部材を備え、該掛止解除部材を起こして前記電子部品を持ち上げることにより、前記掛止突起による前記電子部品の掛止を解除することができる様に構成されていることを特徴とする。
【００１８】
本発明にかかる電子部品の取付構造によれば、作業者が、掛止突起より取付穴側に備えられている掛止解除部材を起こすと、電子部品が支持板の載置面から持ち上げられて、掛止突起による掛止が解除されるので、後は、電子部品を引き抜くだけで電子部品を取り外すことができる。従って、古くなったパチンコ遊技機を廃棄する場合等に、電子部品を容易に取り外すことができ、再利用することができる。
【００１９】
第３の発明にかかる電子部品の取付構造は、請求項７に記載されている様に、遊技機の固定対象物に取り付けるための取付用突片を備えた取付筐体内に電子部品を収納し、当該取付筐体を介して当該電子部品を当該遊技機に取り付ける電子部品の取付構造であって、前記遊技機の固定対象物には、前記取付用突片を側端側から挿入することができる様に形成された挿入部と、前記取付用突片の外形に対応する様に形成され、前記挿入部から挿入された取付用突片を挟持する挟持部と、によって構成される突片固定部材が形成されており、前記取付用突片は、前記突片固定部材に挿入される反対側の側端から最厚部まで徐々に肉厚となる様に形成されていることを特徴とする。
【００２０】
本発明にかかる電子部品の取付構造によれば、電子部品は、取付筐体の取付用突片が突片固定部材（挿入部及び挟持部）に固定されることによって遊技機の固定対象物に取り付けられている。取付筐体の取付用突片は、突片固定部材に挿入される反対側の側端から最厚部まで徐々に肉厚となる様に形成されているので、作業者が取付用突片を突片固定部材から引き抜く方向にある程度の大きさの力を作用させると、取付用突片により突片固定部材が徐々に抉じ開けられる。このため、作業者は、取付用突片を突片固定部材から引き抜く方向に力を作用させるだけで電子部品を取り外すことができる。従って、古くなったパチンコ遊技機を廃棄する場合等に、電子部品を容易に取り外すことができ、再利用することができる。
【００２１】
又、請求項８に記載されている様に、前記取付用突片は、前記最厚部から前記突片固定部材へ挿入される側の側端まで徐々に肉薄となる様に形成されていると更に良い。
この様に構成されている場合には、作業者は、取付用突片を突片固定部材に固定する際、取付用突片を突片固定部材へ挿入する方向にある程度の大きさの力を作用させると、取付用突片により突片固定部材が徐々に抉じ開けられる。このため、作業者は、取付用突片を突片固定部材へ挿入する方向に力を作用させるだけで電子部品を取り付けることができる。従って、電子部品を取り外す際の作業が容易であるだけでなく、取り付ける際の作業も容易である。
【図面の簡単な説明】
【００２２】
【図１】第１実施例のパチンコ球センサの取付構造を説明するための斜視図である。
【図２】第２実施例のパチンコ球センサの取付構造を説明するための斜視図（ａ）及び正面図（ｂ），（ｃ）である。
【図３】第３実施例のパチンコ球センサの取付構造を説明するための側面図（ａ），（ｃ）及び正面図（ｂ），（ｄ）である。
【図４】第４実施例のステッピングモータの取付構造を説明するための斜視図である。
【図５】従来のパチンコ球センサの取付構造を説明するための斜視図である。
【図６】従来のステッピングモータの取付構造を説明するための斜視図である。
【発明を実施するための形態】
【００２３】
以下、第１乃至第３の発明の実施の形態を図面に基づいて説明する。
［第１実施例］
まず、本実施例のパチンコ球センサの取付構造の構成について説明する。
【００２４】
図１は、本実施例のパチンコ球センサの取付構造の構成を説明するための斜視図であり、図１（ａ）は、パチンコ球センサを取り付ける前の状態（取り外した状態）を表し、図１（ｂ）は、パチンコ球センサを取り付けた状態を表す。
【００２５】
本実施例のパチンコ球センサの取付構造は、図１に示す様に、パチンコ球通路１２にパチンコ球センサ１１を挿入固定するために、パチンコ球センサ１１の外形に対応する様にパチンコ球通路１２に穿設された取付穴１３と、パチンコ球センサ１１の取付穴１３から露出している部分を支持するために、パチンコ球通路１２のパチンコ球センサ１１を挿入する側の外壁面に立設され、取付穴１３の内壁面と同一平面上に位置する載置面１４ａを有する支持板１４と、によって構成され、取付穴１３に挿入されているパチンコ球センサ１１が取付穴１３から脱落しない様に、支持板１４の遊端側の載置面１４ａには、パチンコ球センサ１１の取付穴１３から露出している部分の端部を掛止するための掛止突起１５が形成されている。パチンコ球通路１２，支持板１４，掛止突起１５は、合成樹脂、詳しくは、支持板１４が上下方向（載置面１４ａの向き）に湾曲することができる程度の弾性を有する合成樹脂で一体成形されている。
【００２６】
掛止突起１５は、断面が中心角１８０度の扇形（半月形）の突条である。即ち、掛止突起１５は、取付穴１３側の端部から最厚部まで徐々に肉厚となり、最厚部から遊端側の端部まで徐々に肉薄となっている。
【００２７】
尚、掛止突起１５の大きさは任意であるが、パチンコ球センサ１１の大きさ（特に厚さ）に応じて選択することが好ましく、一例として、パチンコ球センサ１１の厚さが５ｍｍ程度である場合には、掛止突起１５の断面の半径を１乃至３ｍｍ程度とすると良い。
【００２８】
続いて、本実施例のパチンコ球センサの取付構造の効果について説明する。
本実施例のパチンコ球センサの取付構造によれば、掛止突起１５は、取付穴１３側の端部から最厚部まで徐々に肉厚となっているので、作業者がパチンコ球センサ１１を取付穴１３から引き抜く方向にある程度の大きさの力を作用させると、パチンコ球センサ１１が掛止突起１５に徐々に乗り上げて行き、これによって支持板１４が徐々に湾曲させられる。このため、作業者は、パチンコ球センサ１１を取付穴１３から引き抜く方向に力を作用させるだけでパチンコ球センサ１１を取り外すことができる。従って、古くなったパチンコ遊技機を廃棄する場合等に、パチンコ球センサ１１を容易に取り外すことができ、新しいパチンコ遊技機の部品として利用することができる。
【００２９】
又、掛止突起１５の断面が扇形状に形成されていることにより、作業者がパチンコ球センサ１１を取付穴１３から引き抜く方向に力を作用させれば、パチンコ球センサ１１が掛止突起１５に徐々に乗り上げて行くので、パチンコ球センサ１１を容易に取り外すことができるが、支持板１４の載置面１４ａと掛止突起１５の取付穴１３側の表面とが略直角をなすので、作業者がパチンコ球センサ１１を取付穴１３から引き抜く方向に力を作用させるまでは、パチンコ球センサ１１が意に反して掛止突起１５に乗り上げてしまうことはない。従って、パチンコ球センサ１１を安定的に取り付けておくことができる。
【００３０】
尚、本実施例において、パチンコ球センサ１１が前述の電子部品に相当し、パチンコ球通路１２が前述の固定対象物に相当する。
［第２実施例］
まず、本実施例のパチンコ球センサの取付構造の構成について説明する。
【００３１】
図２は、本実施例のパチンコ球センサの取付構造の構成を説明するための斜視図（ａ）及び正面図（ｂ），（ｃ）であり、図２（ａ）は、パチンコ球センサを取り付ける前の状態を表し、図２（ｂ）は、パチンコ球センサを取り付けた状態を表し、図２（ｃ）は、パチンコ球センサの片側を浮かせた状態を表す。
【００３２】
本実施例のパチンコ球センサの取付構造は、図２に示す様に、パチンコ球通路２２にパチンコ球センサ２１を挿入固定するために、パチンコ球センサ２１の外形に対応する様にパチンコ球通路２２に穿設された取付穴２３と、パチンコ球センサ２１の取付穴２３から露出している部分を支持するために、パチンコ球通路２２のパチンコ球センサ２１を挿入する側の外壁面に立設され、取付穴２３の内壁面と同一平面上に位置する載置面２４ａを有する支持板２４と、によって構成され、取付穴２３に挿入されているパチンコ球センサ２１が取付穴２３から脱落しない様に、支持板２４の遊端側の載置面２４ａに、パチンコ球センサ２１の取付穴２３から露出している部分の端部を掛止するための掛止突起２５が形成されて構成されている。パチンコ球通路２２，支持板２４は、合成樹脂、詳しくは、支持板２４が上下方向（載置面２４ａの向き）に湾曲することができる程度の弾性を有する合成樹脂で一体成形されている。
【００３３】
掛止突起２５は、弾性樹脂製の半球状の突起であり、支持板２４の載置面２４ａを上にして遊端側から見たときに、支持板２４の中心に対して右側に偏心した位置（具体的には右端）に配置されている。
【００３４】
取付穴２３の内壁面の内、支持板２４の載置面２４ａと同一平面上に位置する底面２３ａに対向する上面２３ｂは、掛止突起２５が形成されている側（右側）から掛止突起２５が形成されていない側（左側）に向かって下り傾斜しており、取付穴２３にパチンコ球センサ２１を挿入固定すると、掛止突起２５が形成されている側（右側）においてパチンコ球センサ２１と上面２３ｂとの間に隙間が形成され、支持板２４の載置面２４ａに載置されているパチンコ球センサ２１の掛止突起２５が形成されている側（右側）を持ち上げることができる様に構成されている。
【００３５】
又、取付穴２３の内壁面の内、掛止突起２５が形成されている側（右側）の側面２３ｃには、取付穴２３に挿入固定されているパチンコ球センサが上面２３ｂ側へ浮き上がらない様に底面２３ａ及び支持板２４の載置面２４ａ側へ押さえ付けるための補助突起２６が形成されている。補助突起２６も、掛止突起２５と同様に、弾性樹脂製の半球状の突起である。
【００３６】
尚、掛止突起２５及び補助突起２６の大きさ（半径）は任意であるが、パチンコ球センサ２１の大きさ（特に厚さ）に応じて選択することが好ましく、一例として、パチンコ球センサ２１の厚さが５ｍｍ程度である場合には、掛止突起２５の半径を１乃至３ｍｍ程度とすると共に補助突起２６の半径を１ｍｍ程度とすると良い。
【００３７】
そして、作業者は、まず、補助突起２６に乗り上げさせる様にしてパチンコ球センサ２１の右側を持ち上げ、次に、掛止突起２５に乗り上げさせる様にしてパチンコ球センサ２１を引き抜く。
【００３８】
続いて、本実施例のパチンコ球センサの取付構造の効果について説明する。
本実施例のパチンコ球センサの取付構造によれば、第１実施例のパチンコ球センサの取付構造と同様に、作業者がパチンコ球センサ２１を取付穴２３から引き抜く方向に力を作用させれば、パチンコ球センサ２１が掛止突起２５に徐々に乗り上げて行くので、パチンコ球センサ２１を容易に取り外すことができるが、支持板２４の載置面２４ａと掛止突起２５の取付穴２３側の表面とが略直角をなすので、作業者がパチンコ球センサ２１を取付穴２３から引き抜く方向に力を作用させるまでは、パチンコ球センサ２１が意に反して掛止突起２５に乗り上げてしまうことはない。従って、パチンコ球センサ２１を安定的に取り付けておくことができる。
【００３９】
又、図２（ｃ）に示す様に、パチンコ球センサ２１を取り外す際、パチンコ球センサ２１の右側を持ち上げることができるので、支持板２４の右側に形成されている掛止突起２５に容易に乗り上げさせることができる。従って、パチンコ球センサ２１を容易に取り外すことができる。
【００４０】
更に、取付穴２３に挿入固定されたパチンコ球センサ２１は、補助突起２６によって押さえ付けられるので、作業者がパチンコ球センサ２１を持ち上げる方向に力を作用させるまでは、パチンコ球センサ２１が意に反して浮き上がってしまうことはない。従って、パチンコ球センサ２１を安定的に取り付けておくことができる。
【００４１】
尚、本実施例において、パチンコ球センサ２１が前述の電子部品に相当し、パチンコ球通路２２が前述の固定対象物に相当し、底面２３ａが前述の第１内壁面に相当し、上面２３ｂが前述の第２内壁面に相当し、側面２３ｃが前述の第３内壁面に相当する。
【００４２】
［第３実施例］
まず、本実施例のパチンコ球センサの取付構造の構成について説明する。
図３は、本実施例のパチンコ球センサの取付構造の構成を説明するための側面図（ａ），（ｃ）及び支持板の遊端側から取付穴側を見たときの正面図（ｂ），（ｄ）であり、図３（ａ），（ｂ）は、通常の状態を表し、図３（ｃ），（ｄ）は、パチンコ球センサを取り外す際の状態を表す。
【００４３】
本実施例のパチンコ球センサの取付構造は、図３に示す様に、パチンコ球通路（図示せず）にパチンコ球センサ（図示せず）を挿入固定するために、パチンコ球センサの外形に対応する様にパチンコ球通路に穿設された取付穴（図示せず）と、パチンコ球センサの取付穴から露出している部分を支持するために、パチンコ球通路のパチンコ球センサを挿入する側の外壁面に立設され、取付穴の内壁面に沿った載置面３４ａを有する支持板３４と、によって構成され、取付穴に挿入されているパチンコ球センサが取付穴から脱落しない様に、支持板３４の遊端側の載置面３４ａに、パチンコ球センサの取付穴から露出している部分の端部を掛止するための断面が直角三角形状である掛止突起３５が形成されている。尚、パチンコ球センサ，パチンコ球通路，取付穴は、第１実施例と同様である。
【００４４】
掛止突起３５の取付穴側には窪部３６が形成されており、窪部３６内には、断面が略楕円形状（長方形の左右の辺に、辺の長さと等しい直径を有する半円を接続した形状）である筒状の掛止解除筒体３７ａが備えられている。掛止解除筒体３７ａは、図３（ａ）に示す状態では、載置面３４ａから突出しない（掛止解除筒体３７ａの表面が載置面３４ａと同一平面上に位置する）様に配置されており、作業者が回動レバー３７ｂを操作すると、軸部材３７ｃを回動軸として回動し、図３（ａ），（ｂ）に示す状態と図３（ｃ），（ｄ）に示す状態との間を遷移する様に構成されている。
【００４５】
窪部３６の開口部には、掛止解除筒体３７ａが窪部３６から浮き上がらない様にするための突起３６ａが形成されている。突起３６ａの断面は直角二等辺三角形状である。
尚、突起３６ａの大きさや形状は任意であるが、掛止解除筒体３７ａの大きさや形状に応じて選択することが好ましく、一例として、掛止解除筒体３７ａの図３（ａ）における左右方向の長さ（幅）が５ｍｍ程度であり、上下方向の長さ（厚さ）が２ｍｍ程度である場合には、断面が二等辺が１ｍｍ弱程度の直角二等辺三角形となる様に形成すると良い。
【００４６】
そして、作業者は、図３（ａ）に示す状態から回動レバー３７ｂを回動させて図３（ｃ）に示す状態に遷移させ、掛止解除筒体３７ａによってパチンコ球センサを支持板３４の載置面３４ａから浮き上がらせて掛止突起３５による掛止を解除し、パチンコ球センサを引き抜く。
【００４７】
続いて、本実施例のパチンコ球センサの取付構造の効果について説明する。
本実施例のパチンコ球センサの取付構造によれば、作業者が回動レバー３７ｂを操作するだけで掛止突起３５による掛止を解除することができるので、パチンコ球センサを容易に取り外すことができる。
【００４８】
尚、本実施例において、掛止解除筒体３７ａ，回動レバー３７ｂが前述の掛止解除部材に相当する。
［第４実施例］
まず、本実施例のステッピングモータの取付構造の構成について説明する。
【００４９】
図４は、本実施例のステッピングモータの取付構造の構成を説明するための斜視図であり、図４（ａ）は、ステッピングモータを取り付ける前の状態を表し、図４（ｂ）は、ステッピングモータを取り付けた状態を表す。
【００５０】
本実施例のステッピングモータの取付構造は、図４に示す様に、取付用突片４３が設けられた取付筐体４２を備えるステッピングモータ４１を、取付筐体４２（取付用突片４３）を介して突片固定部材４４に取り付ける様に構成されている。
【００５１】
取付用突片４３は、断面が略菱形状である。即ち、一方の側端から最厚部まで徐々に肉厚となっており、最厚部から他方の側端まで徐々に肉薄となっている。
突片固定部材４４は、弾性樹脂製であり、取付用突片４３を側端側から挿入することができる様に形成された挿入部４５と、取付用突片４３の外形に対応する様に形成され、挿入部４５から挿入された取付用突片４３を挟持する挟持部４６と、を備える。
【００５２】
そして、作業者が、図４（ａ）に示す状態から矢印方向に取付筐体４２を回動させて取付用突片４３を突片固定部材４４の挿入部４５へ挿入し、更にある程度の大きさの力を作用させると、取付用突片４３は、突片固定部材４４（挿入部４５，挟持部４６）を徐々に抉じ開け、最終的に、挟持部４６まで進入し、図４（ｂ）に示す様に、挟持部４６において固定される。そして、作業者が、図４（ｂ）に示す状態から図４（ａ）の矢印と逆方向にある程度の力を作用させると、取付用突片４３は、突片固定部材４４（挿入部４５，挟持部４６）を徐々に抉じ開け、最終的に、突片固定部材４４から離脱する。
【００５３】
続いて、本実施例のステッピングモータの取付構造の効果について説明する。
本実施例のステッピングモータの取付構造によれば、作業者は、図４（ａ）の矢印方向に力を作用させるだけでステッピングモータ４１を取り付けることができ、図４（ａ）の矢印と逆方向に力を作用させるだけでステッピングモータ４１を取り外すことができる。従って、ステッピングモータ４１を取り付ける際の作業が容易であるだけでなく、取り外す際の作業も容易である。
【００５４】
尚、本実施例において、ステッピングモータ４１が前述の電子部品に相当する。
以上、第１乃至第３の発明の実施の形態について説明したが、第１乃至第３の発明は前述した４つの実施例に何等限定されるものではなく、更に種々の態様において実施しても良いことはもちろんである。
【００５５】
例えば、第１実施例では、掛止突起１５の表面は凸曲面状（断面は半月形状）であるが、取付穴１３側の端部から最厚部まで徐々に肉厚となっているのであれば、掛止突起１５の表面は凹曲面状であっても良いし、平面状であっても良い。同様に、第３実施例の突起３６ａの表面は平面状であるが、凸曲面状であっても良いし、凹曲面状であっても良い。
【００５６】
又、第１実施例及び第２実施例では、支持板の載置面と取付穴の内壁面とは同一平面上に位置しているが、掛止突起によるパチンコ球センサの掛止に支障がない程度であれば、載置面と内壁面とは厳密に同一平面上に位置していなくても良く、載置面と内壁面との間に若干の段差が設けられていても良いし、載置面が内壁面に対して若干の傾斜を有していても良い。
【００５７】
又、第１実施例と第３実施例とを組み合わせ、図１に示す掛止突起１５の取付穴１３側に、図３に示す窪部３６，突起３６ａ，掛止解除筒体３７ａ，回動レバー３７ｂ，軸部材３７ｃを設けても良い。
【００５８】
又、第４実施例では、２つの突片固定部材４４の挿入部４５の開口方向が互い違いで、ステッピングモータ４１（取付筐体４２）を図４（ａ）の矢印方向に回動させることによって突片固定部材４４への取り付けを行い、逆方向に回動させることによって突片固定部材４４からの取り外しを行う様に構成されているが、２つの突片固定部材４４の挿入部４５の開口方向が同一で、ステッピングモータ４１（筐体４２）を平行移動させることによって突片固定部材４４への取り付け及び取り外しを行う様に構成されていても良い。
【符号の説明】
【００５９】
１１…パチンコ球センサ    １２…パチンコ球通路    １３…取付穴    １４…支持板    １４ａ…載置面    １５…掛止突起    ２１…パチンコ球センサ    ２２…パチンコ球通路    ２３…取付穴    ２３ａ…底面    ２３ｂ…上面    ２３ｃ…側面    ２４…支持板    ２４ａ…載置面    ２５…掛止突起    ２６…補助突起    ３４…支持板    ３４ａ…載置面    ３５…掛止突起    ３６…窪部    ３６ａ…突起    ３７ａ…掛止解除筒体    ３７ｂ…回動レバー    ３７ｃ…軸部材    ４１…ステッピングモータ    ４２…取付筐体    ４３…取付用突片    ４４…突片固定部材    ４５…挿入部    ４６…挟持部    ８１…パチンコ球センサ    ８２…パチンコ球通路    ８３…取付穴    ８４…支持板    ８５…掛止突起    ９１…ステッピングモータ    ９２…取付筐体    ９３…取付用突片    ９４…螺子孔    ９５…木螺子    ９６…突片固定部材。
【図１】
2010029707.tif 000003
【図２】
2010029707.tif 000004
【図３】
2010029707.tif 000005
【図４】
2010029707.tif 000006
【図５】
2010029707.tif 000007
【図６】
2010029707.tif 000008
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
遊技機の固定対象物に取り付けるための取付用突片を備えた取付筐体内に電子部品を収納し、当該取付筐体を介して当該電子部品を当該遊技機に取り付ける電子部品の取付構造であって、
前記遊技機の固定対象物には、
前記取付用突片を側端側から挿入することができる様に形成された挿入部と、
前記取付用突片の外形に対応する様に形成され、前記挿入部から挿入された取付用突片を挟持する挟持部と、
によって構成される突片固定部材が形成されており、
前記取付用突片は、前記突片固定部材に挿入される反対側の側端から最厚部まで徐々に肉厚となる様に形成されていることを特徴とする電子部品の取付構造。
【請求項２】
前記取付用突片は、前記最厚部から前記突片固定部材へ挿入される側の側端まで徐々に肉薄となる様に形成されていることを特徴とする請求項１に記載の電子部品の取付構造。
【手続補正２】
【補正対象書類名】明細書
【補正対象項目名】全文
【補正方法】変更
【補正の内容】
【発明の詳細な説明】
【技術分野】
【０００１】
本発明は、遊技機にセンサ・アクチュエータ等の電子部品を取り付ける構造に関する。
【背景技術】
【０００２】
従来、例えば、パチンコ球を計数するためのパチンコ球センサ８１は、図５に示す様に、パチンコ球通路８２に設けられた取付穴８３に挿入され、取付穴８３から露出している部分を支持板８４の遊端側に形成されている鉤状の掛止突起８５に掛止されることによってパチンコ遊技機に取り付けられている。
【０００３】
又、賞品球払出装置等を構成するステッピングモータ９１は、図６（ａ）に示す様に、取付用突片９３が設けられた取付筐体９２を備え、図６（ｂ）に示す様に、木螺子９５を取付用突片９３の螺子孔９４に通し、パチンコ遊技機に設けられている突片固定部材９６に螺子止めすることによって、パチンコ遊技機の所定位置に取り付けられている。
【発明の概要】
【発明が解決しようとする課題】
【０００４】
ところで、近年、古くなったパチンコ遊技機を廃棄する場合、パチンコ球センサやステッピングモータ等の電子部品の内、損傷がない（あるいは軽微である）ものは、パチンコ遊技機の廃棄前に取り外され、新しいパチンコ遊技機の部品として利用されている。
【０００５】
しかし、図５に示す様に取り付けられたパチンコ球センサ８１を取り外す際には、支持板８４を湾曲させて掛止突起８５による掛止を解除しながらパチンコ球センサ８１を取付穴８３から引き抜かなければならないので、作業が面倒である。又、図６に示す様に取り付けられたステッピングモータ９１を取り外す際にも、狭い隙間にドライバを挿入して木螺子９５を１つずつ回して取り外さなければならないので、作業が面倒である。
【０００６】
このため、取り外し作業に要する時間や手間と電子部品を再利用することによるコストの削減とを比較衡量し、利益が得られない場合には取り外し作業の一部を省略し、又は取り外し作業を一切行わずに、即ち本来再利用することができる電子部品をパチンコ遊技機に残したままの状態で廃棄することが多い。この様に、従来のパチンコ遊技機の電子部品は十分に再利用されていなかった。
【０００７】
そこで、本発明は、古くなったパチンコ遊技機を廃棄する場合等に、電子部品を容易に取り外すことができる様にすることを目的とする。
【課題を解決するための手段】
【０００８】
【０００９】
【００１０】
【００１１】
【００１２】
【００１３】
【００１４】
【００１５】
【００１６】
【００１７】
【００１８】
【００１９】
この様な目的を達成するため、本発明にかかる電子部品の取付構造は、請求項１に記載されている様に、遊技機の固定対象物に取り付けるための取付用突片を備えた取付筐体内に電子部品を収納し、当該取付筐体を介して当該電子部品を当該遊技機に取り付ける電子部品の取付構造であって、前記遊技機の固定対象物には、前記取付用突片を側端側から挿入することができる様に形成された挿入部と、前記取付用突片の外形に対応する様に形成され、前記挿入部から挿入された取付用突片を挟持する挟持部と、によって構成される突片固定部材が形成されており、前記取付用突片は、前記突片固定部材に挿入される反対側の側端から最厚部まで徐々に肉厚となる様に形成されていることを特徴とする。
【００２０】
本発明にかかる電子部品の取付構造によれば、電子部品は、取付筐体の取付用突片が突片固定部材（挿入部及び挟持部）に固定されることによって遊技機の固定対象物に取り付けられている。取付筐体の取付用突片は、突片固定部材に挿入される反対側の側端から最厚部まで徐々に肉厚となる様に形成されているので、作業者が取付用突片を突片固定部材から引き抜く方向にある程度の大きさの力を作用させると、取付用突片により突片固定部材が徐々に抉じ開けられる。このため、作業者は、取付用突片を突片固定部材から引き抜く方向に力を作用させるだけで電子部品を取り外すことができる。従って、古くなったパチンコ遊技機を廃棄する場合等に、電子部品を容易に取り外すことができ、再利用することができる。
【００２１】
又、請求項２に記載されている様に、前記取付用突片は、前記最厚部から前記突片固定部材へ挿入される側の側端まで徐々に肉薄となる様に形成されていると更に良い。
この様に構成されている場合には、作業者は、取付用突片を突片固定部材に固定する際、取付用突片を突片固定部材へ挿入する方向にある程度の大きさの力を作用させると、取付用突片により突片固定部材が徐々に抉じ開けられる。このため、作業者は、取付用突片を突片固定部材へ挿入する方向に力を作用させるだけで電子部品を取り付けることができる。従って、電子部品を取り外す際の作業が容易であるだけでなく、取り付ける際の作業も容易である。
【図面の簡単な説明】
【００２２】
【図１】第１参考例のパチンコ球センサの取付構造を説明するための斜視図である。
【図２】第２参考例のパチンコ球センサの取付構造を説明するための斜視図（ａ）及び正面図（ｂ），（ｃ）である。
【図３】第３参考例のパチンコ球センサの取付構造を説明するための側面図（ａ），（ｃ）及び正面図（ｂ），（ｄ）である。
【図４】実施例のステッピングモータの取付構造を説明するための斜視図である。
【図５】従来のパチンコ球センサの取付構造を説明するための斜視図である。
【図６】従来のステッピングモータの取付構造を説明するための斜視図である。
【発明を実施するための形態】
【００２３】
以下、本発明の実施の形態を図面に基づいて説明する。
［第１参考例］
まず、本参考例のパチンコ球センサの取付構造の構成について説明する。
【００２４】
図１は、本参考例のパチンコ球センサの取付構造の構成を説明するための斜視図であり、図１（ａ）は、パチンコ球センサを取り付ける前の状態（取り外した状態）を表し、図１（ｂ）は、パチンコ球センサを取り付けた状態を表す。
【００２５】
本参考例のパチンコ球センサの取付構造は、図１に示す様に、パチンコ球通路１２にパチンコ球センサ１１を挿入固定するために、パチンコ球センサ１１の外形に対応する様にパチンコ球通路１２に穿設された取付穴１３と、パチンコ球センサ１１の取付穴１３から露出している部分を支持するために、パチンコ球通路１２のパチンコ球センサ１１を挿入する側の外壁面に立設され、取付穴１３の内壁面と同一平面上に位置する載置面１４ａを有する支持板１４と、によって構成され、取付穴１３に挿入されているパチンコ球センサ１１が取付穴１３から脱落しない様に、支持板１４の遊端側の載置面１４ａには、パチンコ球センサ１１の取付穴１３から露出している部分の端部を掛止するための掛止突起１５が形成されている。パチンコ球通路１２，支持板１４，掛止突起１５は、合成樹脂、詳しくは、支持板１４が上下方向（載置面１４ａの向き）に湾曲することができる程度の弾性を有する合成樹脂で一体成形されている。
【００２６】
掛止突起１５は、断面が中心角１８０度の扇形（半月形）の突条である。即ち、掛止突起１５は、取付穴１３側の端部から最厚部まで徐々に肉厚となり、最厚部から遊端側の端部まで徐々に肉薄となっている。
【００２７】
尚、掛止突起１５の大きさは任意であるが、パチンコ球センサ１１の大きさ（特に厚さ）に応じて選択することが好ましく、一例として、パチンコ球センサ１１の厚さが５ｍｍ程度である場合には、掛止突起１５の断面の半径を１乃至３ｍｍ程度とすると良い。
【００２８】
続いて、本参考例のパチンコ球センサの取付構造の効果について説明する。
本参考例のパチンコ球センサの取付構造によれば、掛止突起１５は、取付穴１３側の端部から最厚部まで徐々に肉厚となっているので、作業者がパチンコ球センサ１１を取付穴１３から引き抜く方向にある程度の大きさの力を作用させると、パチンコ球センサ１１が掛止突起１５に徐々に乗り上げて行き、これによって支持板１４が徐々に湾曲させられる。このため、作業者は、パチンコ球センサ１１を取付穴１３から引き抜く方向に力を作用させるだけでパチンコ球センサ１１を取り外すことができる。従って、古くなったパチンコ遊技機を廃棄する場合等に、パチンコ球センサ１１を容易に取り外すことができ、新しいパチンコ遊技機の部品として利用することができる。
【００２９】
又、掛止突起１５の断面が扇形状に形成されていることにより、作業者がパチンコ球センサ１１を取付穴１３から引き抜く方向に力を作用させれば、パチンコ球センサ１１が掛止突起１５に徐々に乗り上げて行くので、パチンコ球センサ１１を容易に取り外すことができるが、支持板１４の載置面１４ａと掛止突起１５の取付穴１３側の表面とが略直角をなすので、作業者がパチンコ球センサ１１を取付穴１３から引き抜く方向に力を作用させるまでは、パチンコ球センサ１１が意に反して掛止突起１５に乗り上げてしまうことはない。従って、パチンコ球センサ１１を安定的に取り付けておくことができる。
【００３０】
尚、本参考例において、パチンコ球センサ１１が前述の電子部品に相当し、パチンコ球通路１２が前述の固定対象物に相当する。
［第２参考例］
まず、本参考例のパチンコ球センサの取付構造の構成について説明する。
【００３１】
図２は、本参考例のパチンコ球センサの取付構造の構成を説明するための斜視図（ａ）及び正面図（ｂ），（ｃ）であり、図２（ａ）は、パチンコ球センサを取り付ける前の状態を表し、図２（ｂ）は、パチンコ球センサを取り付けた状態を表し、図２（ｃ）は、パチンコ球センサの片側を浮かせた状態を表す。
【００３２】
本参考例のパチンコ球センサの取付構造は、図２に示す様に、パチンコ球通路２２にパチンコ球センサ２１を挿入固定するために、パチンコ球センサ２１の外形に対応する様にパチンコ球通路２２に穿設された取付穴２３と、パチンコ球センサ２１の取付穴２３から露出している部分を支持するために、パチンコ球通路２２のパチンコ球センサ２１を挿入する側の外壁面に立設され、取付穴２３の内壁面と同一平面上に位置する載置面２４ａを有する支持板２４と、によって構成され、取付穴２３に挿入されているパチンコ球センサ２１が取付穴２３から脱落しない様に、支持板２４の遊端側の載置面２４ａに、パチンコ球センサ２１の取付穴２３から露出している部分の端部を掛止するための掛止突起２５が形成されて構成されている。パチンコ球通路２２，支持板２４は、合成樹脂、詳しくは、支持板２４が上下方向（載置面２４ａの向き）に湾曲することができる程度の弾性を有する合成樹脂で一体成形されている。
【００３３】
掛止突起２５は、弾性樹脂製の半球状の突起であり、支持板２４の載置面２４ａを上にして遊端側から見たときに、支持板２４の中心に対して右側に偏心した位置（具体的には右端）に配置されている。
【００３４】
取付穴２３の内壁面の内、支持板２４の載置面２４ａと同一平面上に位置する底面２３ａに対向する上面２３ｂは、掛止突起２５が形成されている側（右側）から掛止突起２５が形成されていない側（左側）に向かって下り傾斜しており、取付穴２３にパチンコ球センサ２１を挿入固定すると、掛止突起２５が形成されている側（右側）においてパチンコ球センサ２１と上面２３ｂとの間に隙間が形成され、支持板２４の載置面２４ａに載置されているパチンコ球センサ２１の掛止突起２５が形成されている側（右側）を持ち上げることができる様に構成されている。
【００３５】
又、取付穴２３の内壁面の内、掛止突起２５が形成されている側（右側）の側面２３ｃには、取付穴２３に挿入固定されているパチンコ球センサが上面２３ｂ側へ浮き上がらない様に底面２３ａ及び支持板２４の載置面２４ａ側へ押さえ付けるための補助突起２６が形成されている。補助突起２６も、掛止突起２５と同様に、弾性樹脂製の半球状の突起である。
【００３６】
尚、掛止突起２５及び補助突起２６の大きさ（半径）は任意であるが、パチンコ球センサ２１の大きさ（特に厚さ）に応じて選択することが好ましく、一例として、パチンコ球センサ２１の厚さが５ｍｍ程度である場合には、掛止突起２５の半径を１乃至３ｍｍ程度とすると共に補助突起２６の半径を１ｍｍ程度とすると良い。
【００３７】
そして、作業者は、まず、補助突起２６に乗り上げさせる様にしてパチンコ球センサ２１の右側を持ち上げ、次に、掛止突起２５に乗り上げさせる様にしてパチンコ球センサ２１を引き抜く。
【００３８】
続いて、本参考例のパチンコ球センサの取付構造の効果について説明する。
本参考例のパチンコ球センサの取付構造によれば、第１参考例のパチンコ球センサの取付構造と同様に、作業者がパチンコ球センサ２１を取付穴２３から引き抜く方向に力を作用させれば、パチンコ球センサ２１が掛止突起２５に徐々に乗り上げて行くので、パチンコ球センサ２１を容易に取り外すことができるが、支持板２４の載置面２４ａと掛止突起２５の取付穴２３側の表面とが略直角をなすので、作業者がパチンコ球センサ２１を取付穴２３から引き抜く方向に力を作用させるまでは、パチンコ球センサ２１が意に反して掛止突起２５に乗り上げてしまうことはない。従って、パチンコ球センサ２１を安定的に取り付けておくことができる。
【００３９】
又、図２（ｃ）に示す様に、パチンコ球センサ２１を取り外す際、パチンコ球センサ２１の右側を持ち上げることができるので、支持板２４の右側に形成されている掛止突起２５に容易に乗り上げさせることができる。従って、パチンコ球センサ２１を容易に取り外すことができる。
【００４０】
更に、取付穴２３に挿入固定されたパチンコ球センサ２１は、補助突起２６によって押さえ付けられるので、作業者がパチンコ球センサ２１を持ち上げる方向に力を作用させるまでは、パチンコ球センサ２１が意に反して浮き上がってしまうことはない。従って、パチンコ球センサ２１を安定的に取り付けておくことができる。
【００４１】
尚、本参考例において、パチンコ球センサ２１が前述の電子部品に相当し、パチンコ球通路２２が前述の固定対象物に相当し、底面２３ａが前述の第１内壁面に相当し、上面２３ｂが前述の第２内壁面に相当し、側面２３ｃが前述の第３内壁面に相当する。
【００４２】
［第３参考例］
まず、本参考例のパチンコ球センサの取付構造の構成について説明する。
図３は、本参考例のパチンコ球センサの取付構造の構成を説明するための側面図（ａ），（ｃ）及び支持板の遊端側から取付穴側を見たときの正面図（ｂ），（ｄ）であり、図３（ａ），（ｂ）は、通常の状態を表し、図３（ｃ），（ｄ）は、パチンコ球センサを取り外す際の状態を表す。
【００４３】
本参考例のパチンコ球センサの取付構造は、図３に示す様に、パチンコ球通路（図示せず）にパチンコ球センサ（図示せず）を挿入固定するために、パチンコ球センサの外形に対応する様にパチンコ球通路に穿設された取付穴（図示せず）と、パチンコ球センサの取付穴から露出している部分を支持するために、パチンコ球通路のパチンコ球センサを挿入する側の外壁面に立設され、取付穴の内壁面に沿った載置面３４ａを有する支持板３４と、によって構成され、取付穴に挿入されているパチンコ球センサが取付穴から脱落しない様に、支持板３４の遊端側の載置面３４ａに、パチンコ球センサの取付穴から露出している部分の端部を掛止するための断面が直角三角形状である掛止突起３５が形成されている。尚、パチンコ球センサ，パチンコ球通路，取付穴は、第１参考例と同様である。
【００４４】
掛止突起３５の取付穴側には窪部３６が形成されており、窪部３６内には、断面が略楕円形状（長方形の左右の辺に、辺の長さと等しい直径を有する半円を接続した形状）である筒状の掛止解除筒体３７ａが備えられている。掛止解除筒体３７ａは、図３（ａ）に示す状態では、載置面３４ａから突出しない（掛止解除筒体３７ａの表面が載置面３４ａと同一平面上に位置する）様に配置されており、作業者が回動レバー３７ｂを操作すると、軸部材３７ｃを回動軸として回動し、図３（ａ），（ｂ）に示す状態と図３（ｃ），（ｄ）に示す状態との間を遷移する様に構成されている。
【００４５】
窪部３６の開口部には、掛止解除筒体３７ａが窪部３６から浮き上がらない様にするための突起３６ａが形成されている。突起３６ａの断面は直角二等辺三角形状である。
尚、突起３６ａの大きさや形状は任意であるが、掛止解除筒体３７ａの大きさや形状に応じて選択することが好ましく、一例として、掛止解除筒体３７ａの図３（ａ）における左右方向の長さ（幅）が５ｍｍ程度であり、上下方向の長さ（厚さ）が２ｍｍ程度である場合には、断面が二等辺が１ｍｍ弱程度の直角二等辺三角形となる様に形成すると良い。
【００４６】
そして、作業者は、図３（ａ）に示す状態から回動レバー３７ｂを回動させて図３（ｃ）に示す状態に遷移させ、掛止解除筒体３７ａによってパチンコ球センサを支持板３４の載置面３４ａから浮き上がらせて掛止突起３５による掛止を解除し、パチンコ球センサを引き抜く。
【００４７】
続いて、本参考例のパチンコ球センサの取付構造の効果について説明する。
本参考例のパチンコ球センサの取付構造によれば、作業者が回動レバー３７ｂを操作するだけで掛止突起３５による掛止を解除することができるので、パチンコ球センサを容易に取り外すことができる。
【００４８】
尚、本参考例において、掛止解除筒体３７ａ，回動レバー３７ｂが前述の掛止解除部材に相当する。
［実施例］
まず、本実施例のステッピングモータの取付構造の構成について説明する。
【００４９】
図４は、本実施例のステッピングモータの取付構造の構成を説明するための斜視図であり、図４（ａ）は、ステッピングモータを取り付ける前の状態を表し、図４（ｂ）は、ステッピングモータを取り付けた状態を表す。
【００５０】
本実施例のステッピングモータの取付構造は、図４に示す様に、取付用突片４３が設けられた取付筐体４２を備えるステッピングモータ４１を、取付筐体４２（取付用突片４３）を介して突片固定部材４４に取り付ける様に構成されている。
【００５１】
取付用突片４３は、断面が略菱形状である。即ち、一方の側端から最厚部まで徐々に肉厚となっており、最厚部から他方の側端まで徐々に肉薄となっている。
突片固定部材４４は、弾性樹脂製であり、取付用突片４３を側端側から挿入することができる様に形成された挿入部４５と、取付用突片４３の外形に対応する様に形成され、挿入部４５から挿入された取付用突片４３を挟持する挟持部４６と、を備える。
【００５２】
そして、作業者が、図４（ａ）に示す状態から矢印方向に取付筐体４２を回動させて取付用突片４３を突片固定部材４４の挿入部４５へ挿入し、更にある程度の大きさの力を作用させると、取付用突片４３は、突片固定部材４４（挿入部４５，挟持部４６）を徐々に抉じ開け、最終的に、挟持部４６まで進入し、図４（ｂ）に示す様に、挟持部４６において固定される。そして、作業者が、図４（ｂ）に示す状態から図４（ａ）の矢印と逆方向にある程度の力を作用させると、取付用突片４３は、突片固定部材４４（挿入部４５，挟持部４６）を徐々に抉じ開け、最終的に、突片固定部材４４から離脱する。
【００５３】
続いて、本実施例のステッピングモータの取付構造の効果について説明する。
本実施例のステッピングモータの取付構造によれば、作業者は、図４（ａ）の矢印方向に力を作用させるだけでステッピングモータ４１を取り付けることができ、図４（ａ）の矢印と逆方向に力を作用させるだけでステッピングモータ４１を取り外すことができる。従って、ステッピングモータ４１を取り付ける際の作業が容易であるだけでなく、取り外す際の作業も容易である。
【００５４】
尚、本実施例において、ステッピングモータ４１が前述の電子部品に相当する。
以上、本発明の実施の形態について説明したが、本発明は前述した実施例に何等限定されるものではなく、更に種々の態様において実施しても良いことはもちろんである。
【００５５】
例えば、第１参考例では、掛止突起１５の表面は凸曲面状（断面は半月形状）であるが、取付穴１３側の端部から最厚部まで徐々に肉厚となっているのであれば、掛止突起１５の表面は凹曲面状であっても良いし、平面状であっても良い。同様に、第３参考例の突起３６ａの表面は平面状であるが、凸曲面状であっても良いし、凹曲面状であっても良い。
【００５６】
又、第１参考例及び第２参考例では、支持板の載置面と取付穴の内壁面とは同一平面上に位置しているが、掛止突起によるパチンコ球センサの掛止に支障がない程度であれば、載置面と内壁面とは厳密に同一平面上に位置していなくても良く、載置面と内壁面との間に若干の段差が設けられていても良いし、載置面が内壁面に対して若干の傾斜を有していても良い。
【００５７】
又、第１参考例と第３参考例とを組み合わせ、図１に示す掛止突起１５の取付穴１３側に、図３に示す窪部３６，突起３６ａ，掛止解除筒体３７ａ，回動レバー３７ｂ，軸部材３７ｃを設けても良い。
【００５８】
又、実施例では、２つの突片固定部材４４の挿入部４５の開口方向が互い違いで、ステッピングモータ４１（取付筐体４２）を図４（ａ）の矢印方向に回動させることによって突片固定部材４４への取り付けを行い、逆方向に回動させることによって突片固定部材４４からの取り外しを行う様に構成されているが、２つの突片固定部材４４の挿入部４５の開口方向が同一で、ステッピングモータ４１（筐体４２）を平行移動させることによって突片固定部材４４への取り付け及び取り外しを行う様に構成されていても良い。
【符号の説明】
【００５９】
１１…パチンコ球センサ    １２…パチンコ球通路    １３…取付穴    １４…支持板    １４ａ…載置面    １５…掛止突起    ２１…パチンコ球センサ    ２２…パチンコ球通路    ２３…取付穴    ２３ａ…底面    ２３ｂ…上面    ２３ｃ…側面    ２４…支持板    ２４ａ…載置面    ２５…掛止突起    ２６…補助突起    ３４…支持板  
３４ａ…載置面    ３５…掛止突起    ３６…窪部    ３６ａ…突起    ３７ａ…掛止解除筒体    ３７ｂ…回動レバー    ３７ｃ…軸部材    ４１…ステッピングモータ    ４２…取付筐体    ４３…取付用突片    ４４…突片固定部材    ４５…挿入部    ４６…挟持部    ８１…パチンコ球センサ    ８２…パチンコ球通路    ８３…取付穴    ８４…支持板    ８５…掛止突起    ９１…ステッピングモータ    ９２…取付筐体    ９３…取付用突片    ９４…螺子孔    ９５…木螺子    ９６…突片固定部材。